(57)【要約】      （修正有）【課題】マスク及び眼鏡を着用した場合、眼鏡のレンズが呼気によって曇ることを防止又は減少させることができるマスクを提供する。【解決手段】着用者の少なくとも鼻と口とを覆う本体部１０３と、鼻の頂点よりも下に位置する本体部の部分である下部覆い部１０３ｐのうち着用者の顔の右側に面する右下覆い部１０３ｐａに一端が取り付けられると共に、下部覆い部のうち着用者の顔の左側に面する左下覆い部１０３ｐｂに他端が取り付けられる。一端取付位置４４ａと他端取付位置４４ｂとの間の距離を減少させ、口の下方に顔面と本体部との間の隙間を形成する、線材又は帯材により形成された距離制限部４１と、を備えてなる。【選択図】図４
0003177389.tif 000002
【実用新案登録請求の範囲】
【請求項１】
着用者の少なくとも鼻と口とを覆う本体部と、
鼻の頂点よりも下に位置する本体部の部分である下部覆い部のうち着用者の顔の右側に面する右下覆い部に一端が取り付けられると共に、下部覆い部のうち着用者の顔の左側に面する左下覆い部に他端が取り付けられることで該一端が取り付けられる本体部の位置である一端取付位置と該他端が取り付けられる本体部の位置である他端取付位置との間の距離を当該距離制限部が取り付けられていない場合よりも減少させ保持することで少なくとも口の下方に顔面と本体部との間の隙間を形成する、線材又は帯材により形成された距離制限部と、を備えてなる、マスク。
【請求項２】
一端取付位置と他端取付位置とが着用者の唇の両端よりも側方に位置するものである、請求項１に記載のマスク。
【請求項３】
距離制限部を構成する線材又は帯材が、着用者のあごの下を通過するものである、請求項１又は２に記載のマスク。
【請求項４】
本体部の右縁近傍の上部に一端が取り付けられると共に右縁近傍の下部に他端が取り付けられる右側の耳掛けひもと、本体部の左縁近傍の上部に一端が取り付けられると共に左縁近傍の下部に他端が取り付けられる左側の耳掛けひもと、を備えてなり、
一端取付位置が右側の耳掛けひもの他端の近傍とされ、かつ他端取付位置が左側の耳掛けひもの他端の近傍とされるものである、請求項１乃至３のいずれかに記載のマスク。
【請求項５】
距離制限部を構成する線材又は帯材がゴム紐又はゴム帯である、請求項１乃至４のいずれかに記載のマスク。
【請求項６】
距離制限部を構成する線材又は帯材の長さを調節する長さ調節手段を有するものである、請求項１乃至５のいずれかに記載のマスク。
【請求項７】
着用者の少なくとも鼻と口とを覆う本体部と、本体部の右縁近傍の上部に一端が取り付けられると共に右縁近傍の下部に他端が取り付けられる右側の耳掛けひもと、本体部の左縁近傍の上部に一端が取り付けられると共に左縁近傍の下部に他端が取り付けられる左側の耳掛けひもと、を備えてなるマスクに取り付けられるメガネ曇り防止具であって、
右側の耳掛けひもの他端近傍に係合する右係合部と、
左側の耳掛けひもの他端近傍に係合する左係合部と、
該メガネ曇り防止具が取り付けられていない該マスクの右側の耳掛けひもの他端と左側の耳掛けひもの他端との間の距離よりも、両他端間の距離を減少させ保持する、右係合部に一端が取り付けられ左係合部に他端が取り付けられた線材又は帯材により形成された距離制限部と、を有してなる、メガネ曇り防止具。
【請求項８】
距離制限部を構成する線材又は帯材がゴム紐又はゴム帯である、請求項７に記載のメガネ曇り防止具。
【請求項９】
距離制限部を構成する線材又は帯材の長さを調節する長さ調節手段を有するものである、請求項７又は８に記載のメガネ曇り防止具。
【考案の詳細な説明】
【技術分野】
【０００１】
本考案は、マスクに関し、より詳細には、マスク及び眼鏡を着用した場合、眼鏡のレンズが呼気によって曇ることを防止又は減少させることができるマスクに関する。
【背景技術】
【０００２】
鼻及び口を覆うマスクと眼鏡（メガネ）とを着用すると、水蒸気を含む着用者の呼気がマスクと着用者顔面との間から眼鏡方向に吹き出し、冷たい眼鏡のレンズにより呼気が冷却されることで、レンズに曇り（結露）を生じ視界が遮られる問題があった。
図１は、従来から用いられているマスク１０１を示す背面図（マスクの着用者の顔面に面する裏面１０３ｂ側から見たところを示している）である。図１に示すように、従来のマスク１０１は、着用者の鼻と口とを覆う本体部１０３と、本体部１０３の右縁１０２ａ近傍の上部に一端１０５ａ１が取り付けられると共に右縁１０２ａ近傍の下部に他端１０５ａ２が取り付けられる右側の耳掛けひも１０５ａと、本体部１０３の左縁１０２ｂ近傍の上部に一端１０５ｂ１が取り付けられると共に左縁１０２ｂ近傍の下部に他端１０５ｂ２が取り付けられる左側の耳掛けひも１０５ｂと、を備えてなる。なお、「右」及び「左」は、マスク１０１を着用した者から見て「右」及び「左」を言い（図１中、「右」を矢印Ａ１にて示し、「左」を矢印Ａ２にて示した。）、「上」及び「下」は、マスク１０１を着用し水平面に直立した者から見て「上」及び「下」を言う（図１中、「上」を矢印Ａ３にて示し、「下」を矢印Ａ４にて示した。）。なお、マスク１０１は、着用者の鼻梁と両頬との間に存する凹凸に本体部１０３上縁１０２ｃ近傍が沿う形状にくせ付けるための針金１０４が上縁１０２ｃに沿って内蔵されている（該凹凸に合わせて針金１０４を曲げることで該凹凸に上縁１０２ｃ近傍を沿わせることができる）。また、本体部１０３には、着用者の鼻及び口の突出した形状をうまく覆うことができるようにひだ１０３ｆが上縁１０２ｃと略平行に複数形成されている。なお、右縁１０２ａ、左縁１０２ｂ、上縁１０２ｃ、下縁１０２ｄによって略長方形が形成されている。
【０００３】
図２は、図１に示した従来のマスク１０１を着用者２０１が着用したところを示す側面図（着用者２０１から見ると左方向から見たところを示している）であり、図３は図２の矢印Ｂ方向から見たところを示す一部拡大図である。図２及び図３に示す通り、左側の耳掛けひも１０５ｂが着用者２０１の左耳２０３ｂに係合すると共に、図には現れないが右側の耳掛けひも１０５ａが着用者２０１の右耳に係合することで、着用者２０１の鼻２０５と口２０７とを本体部１０３が覆った状態で保持されている（なお、着用者２０１の顔面には裏面１０３ｂが面しており、裏面１０３ｂの反対の表面１０３ａが見えている。）。そして、着用者２０１は眼鏡３０１も着用しており、眼鏡３０１のレンズ３０３はマスク１０１の直近に位置している。
着用者２０１の呼気及び吸気のいずれも本体部１０３（通気性を有する素材（例えば、不織布）で形成されている）は通過させることができる（吸気時には、粉塵や花粉等のような異物を含む外気２２１を本体部１０３により濾過し異物を除去又は減少させるため本体部１０３を通過する必要がある。なお、呼気は、本体部１０３を通過する必要はない。）。吸気時には本体部１０３が着用者２０１の顔面に吸着される力がはたらくため、本体部１０３と着用者２０１顔面との間は密接しやすいが、呼気時には本体部１０３が着用者２０１の顔面から引き離される力がはたらくため、本体部１０３と着用者２０１顔面との間に隙間が生じやすい。
従って、着用者２０１の鼻２０５及び／又は口２０７からはき出された呼気は、本体部１０３を通過し表面１０３ａから排出されるものばかりではなく、本体部１０３と着用者２０１顔面との間から排出されるものもあり、そのうち眼鏡３０１方向に排出される呼気（図２中、矢印Ｅ）は冷たいレンズ３０３により冷却されることで、レンズ３０３に曇り（結露）を生じ視界が遮られる。
【０００４】
かかるレンズ３０３の曇りを防止するため、マスクに関し種々の提案がなされてきた（例えば、特許文献１参照）。
特許文献１には、「簡易な構造で低コストにて製造することができ、装着したときにメガネの曇りを抑制できるマスクを提供する」（特許文献１、発明の詳細な説明中、段落番号０００９）ためになされたものであり、具体的には「両鼻孔及び口を覆う大きさを有するマスク本体が、装着されたとき前記鼻孔よりも上方となる部分に粘着層を備えていることを特徴とするマスク。」（特許文献１、請求項１）であり、それによれば「マスク本体が使用者の鼻孔よりも上方となる部分に粘着層を備えているので、粘着層が使用者の顔面に張り付くことで吐息の上昇を防止する。その結果、マスクより上に位置するメガネの曇を抑制できる。」（特許文献１、発明の詳細な説明中、段落番号００１１）ものが開示されている。
【０００５】
また、特許文献２には、「一般のマスクは上部の鼻と頬の間の窪み部分から空気が漏れてフィルター効果が著しく低下する。また寒い時、吐いた息が上部より抜けてメガネが曇ってしまう。」（特許文献２、発明の詳細な説明中、段落番号０００４）ことに鑑みなされたものであり、具体的には「マスク上部の鼻と頬の間の窪み部分に繊維やスポンジ等の柔らかく顔面へフィットする材質のものを小さいパッドにして付ける。」（特許文献２、発明の詳細な説明中、段落番号０００６）ことによりパッドによって「吐いた息がマスク上部よりメガネの方に抜けないためメガネが曇ることがない。」（特許文献２、発明の詳細な説明中、段落番号０００９）というものである。
【先行技術文献】
【特許文献】
【０００６】
【特許文献１】特開２００６−２８８６５０号公報（例えば、要約、段落番号０００９〜００１１、請求項１、第１図、第２図等）
【特許文献２】特開２００７−１８５４７０号公報（例えば、要約、段落番号０００４〜０００９、第１図等）
【考案の概要】
【考案が解決しようとする課題】
【０００７】
このような特許文献１及び特許文献２に開示されたようなマスクは、マスク本体部と着用者顔面との間を着用者の鼻や口から眼鏡方向へ呼気が流動する流路を塞ぐ閉塞手段（特許文献１では鼻孔よりも上方となる部分の粘着層、特許文献２ではマスク上部のパッド）を講じるものである。
しかしながら、これらの閉塞手段では、マスクの着用感が悪かったり（例えば、顔面への粘着）、汗が出ることで効果が減殺されたり（例えば、粘着作用が奏されない）、呼気時に十分な閉塞ができなかったり（例えば、パッドが顔面に十分な力で押しつけられない場合）という問題があった。
そこで、本考案では、上記のような方法とは別の手段により、マスク及び眼鏡を着用した場合、眼鏡のレンズが呼気によって曇ることを防止又は減少させることができるマスクを提供することを目的とする。また、本考案では、従来のマスクに取り付けることで、眼鏡のレンズが呼気によって曇ることを防止又は減少させることができるメガネ曇り防止具を提供することも目的とする。
【課題を解決するための手段】
【０００８】
本考案のマスク（以下、「本マスク」という。）は、着用者の少なくとも鼻と口とを覆う本体部と、鼻の頂点よりも下に位置する本体部の部分である下部覆い部のうち着用者の顔の右側に面する右下覆い部に一端が取り付けられると共に、下部覆い部のうち着用者の顔の左側に面する左下覆い部に他端が取り付けられることで該一端が取り付けられる本体部の位置である一端取付位置と該他端が取り付けられる本体部の位置である他端取付位置との間の距離を当該距離制限部が取り付けられていない場合よりも減少させ保持することで少なくとも口の下方に顔面と本体部との間の隙間を形成する、線材又は帯材により形成された距離制限部と、を備えてなる、マスクである。
【０００９】
本マスクは、本体部と、距離制限部と、を備えてなる。
本体部は、着用者の少なくとも鼻と口とを覆う。本体部は、着用者の鼻の頂点よりも下に位置する部分である下部覆い部を有しており、下部覆い部は、着用者の顔の右側に面する右下覆い部と、着用者の顔の左側に面する左下覆い部と、を含んでなる。
距離制限部は、線材又は帯材により形成されており、その一端及び他端が本体部に取り付けられる。距離制限部の一端は右下覆い部の一端取付位置に取り付けられると共に、距離制限部の他端は左下覆い部の他端取付位置に取り付けられる。このように距離制限部の一端及び他端がそれぞれ右下覆い部及び左下覆い部に取り付けられることで、一端取付位置と他端取付位置との間の距離を、距離制限部が取り付けられていない場合よりも減少させ保持する。この一端取付位置と他端取付位置との間の距離を減少させ保持することで、少なくとも着用者の口の下方に着用者の顔面と本体部との間の隙間を形成する。
このようにして着用者の口の下方の着用者顔面と本体部との間に形成される隙間によって、本マスク着用者の口からの呼気は該隙間を通って容易かつ円滑に下方へ排出されるので、マスクが存する上方への呼気の排出を防止又は減少させ、眼鏡のレンズが呼気によって曇ることを防止又は減少させることができる。
なお、上述の通り、本考案にいう「右」及び「左」は、本マスクの着用者から見て「右」及び「左」を言い、「上」及び「下」は、本マスクを着用し水平面に直立した者から見て「上」及び「下」を言う。
【００１０】
本マスクにおいては、一端取付位置と他端取付位置とが着用者の唇の両端よりも側方に位置するものであってもよい。
こうすることで一端取付位置と他端取付位置との間の距離を減少させ保持することで、着用者の唇の左右方向への幅（横幅）よりも大きな左右方向への幅（横幅）をもった隙間（着用者顔面と本体部との間に形成される隙間）を容易に形成できるので、着用者の口からの呼気が該隙間を通って一層容易かつ円滑に下方へ排出され、マスクが存する上方への呼気の排出を効果的に防止又は抑制し、眼鏡のレンズが呼気によって曇ることを一層うまく防止又は減少させることができる。なお、着用者の唇の両端よりも側方とは、唇の右端と左端とを結んだ線分に対して垂直な唇の右端を含む第１平面と、該線分に対して垂直な唇の左端を含む第２平面と、の間に一端取付位置と他端取付位置とのいずれもが存在しないことをいう。
【００１１】
本マスクにおいては、距離制限部を構成する線材又は帯材が、着用者のあごの下を通過するものであってもよい。
こうすることで、距離制限部を構成する線材又は帯材が、着用者の顔面を横切らないのでマスクの使用感を低下させず、あご紐（帽子やヘルメットを確実に着用するため用いるもの）の機能を発揮するのでマスクを安定して確実に着用することができ、着用者顔面と本体部との間にうまく隙間を形成することができる。
【００１２】
本マスクにおいては、本体部の右縁近傍の上部に一端が取り付けられると共に右縁近傍の下部に他端が取り付けられる右側の耳掛けひもと、本体部の左縁近傍の上部に一端が取り付けられると共に左縁近傍の下部に他端が取り付けられる左側の耳掛けひもと、を備えてなり、一端取付位置が右側の耳掛けひもの他端の近傍とされ、かつ他端取付位置が左側の耳掛けひもの他端の近傍とされるものであってもよい。
こうすることで右側の耳掛けひもの他端（下側に取り付けられる端）と左側の耳掛けひもの他端（下側に取り付けられる端）とによって本体部が、後方に向いた成分を有する力によって引っ張られるが、一端取付位置が右側の耳掛けひもの他端の近傍とされ、他端取付位置が左側の耳掛けひもの他端の近傍とされることにより、両耳掛けひもの他端による引っ張り力に抗しつつ、距離制限部が一端取付位置と他端取付位置との間の距離を減少させ保持し、着用者の顔面と本体部との間に隙間を形成することができる。
なお、一端取付位置又は他端取付位置が耳掛けひもの他端の近傍であるとは、一端取付位置又は他端取付位置と耳掛けひもの他端との間の距離が好ましくは３ｃｍ以内であり、より好ましくは２ｃｍ以内であり、最も好ましくは１ｃｍ以内であり、一端取付位置又は他端取付位置が耳掛けひもの他端と一致する場合（該距離が０ｃｍ）も含まれる。
【００１３】
本マスクにおいては、距離制限部を構成する線材又は帯材がゴム紐又はゴム帯であってもよい。
距離制限部を構成する線材又は帯材は、ゴム紐又はゴム帯、糸（例えば、木綿、絹、合成繊維）、布製の帯、プラスチック製の帯、テグス（釣り糸として用いられるため、目立たないのでよい）等を例示できるが、ゴム紐又はゴム帯とすればゴム紐又はゴム帯の収縮力により一端取付位置と他端取付位置との間の距離を減少させるよう継続的に力を加えることができるので、着用者顔面と本体部との間の隙間を継続して確実に形成することができる。
【００１４】
本マスクにおいては、距離制限部を構成する線材又は帯材の長さを調節する長さ調節手段を有するものであってもよい。
こうすることで本マスクの着用者の顔面形状や、着用者顔面と本体部との間に形成する隙間の所望の大きさや形状等に応じて、長さ調節手段によって距離制限部を構成する線材又は帯材の長さを調節することができるので、本マスクの使用感を向上させたり、適切な大きさや形状の隙間を形成でき、眼鏡のレンズが呼気によって曇ることをうまく防止又は減少させることができる。
【００１５】
さらに本考案では、従来のマスクに取り付けることで、眼鏡のレンズが呼気によって曇ることを防止又は減少させることができるメガネ曇り防止具（以下、「本防止具」という。）を提供する。
本防止具は、着用者の少なくとも鼻と口とを覆う本体部と、本体部の右縁近傍の上部に一端が取り付けられると共に右縁近傍の下部に他端が取り付けられる右側の耳掛けひもと、本体部の左縁近傍の上部に一端が取り付けられると共に左縁近傍の下部に他端が取り付けられる左側の耳掛けひもと、を備えてなるマスクに取り付けられるメガネ曇り防止具であって、右側の耳掛けひもの他端近傍に係合する右係合部と、左側の耳掛けひもの他端近傍に係合する左係合部と、該メガネ曇り防止具が取り付けられていない該マスクの右側の耳掛けひもの他端と左側の耳掛けひもの他端との間の距離よりも、両他端間の距離を減少させ保持する、右係合部に一端が取り付けられ左係合部に他端が取り付けられた線材又は帯材により形成された距離制限部と、を有してなる、メガネ曇り防止具である。
【００１６】
本防止具は、図１に示したマスク１０１のような従来からのマスクに取り付けることで、眼鏡のレンズが呼気によって曇ることを防止又は減少させることができるものである。本防止具が取り付けられるマスクは、着用者の少なくとも鼻と口とを覆う本体部と、本体部の右縁近傍の上部に一端が取り付けられると共に右縁近傍の下部に他端が取り付けられる右側の耳掛けひもと、本体部の左縁近傍の上部に一端が取り付けられると共に左縁近傍の下部に他端が取り付けられる左側の耳掛けひもと、を備えてなるマスクである。
本防止具は、かかるマスクの右側の耳掛けひもの他端近傍に係合する右係合部と、かかるマスクの左側の耳掛けひもの他端近傍に係合する左係合部と、距離制限部と、を有してなる。距離制限部は、線材又は帯材により形成されており、右係合部に一端が取り付けられると共に左係合部に他端が取り付けられる。距離制限部は、右側の耳掛けひもの他端と左側の耳掛けひもの他端との間の距離を、本防止具が取り付けられていないマスクにおける該距離よりも減少させ保持することで、マスクの着用者の少なくとも口の下方に顔面と本体部との間の隙間を形成する。
このようにして本マスクと同様、着用者の口の下方の着用者顔面と本体部との間に形成される隙間によって、着用者の口からの呼気は該隙間を通って容易かつ円滑に下方へ排出されるので、マスクが存する上方への呼気の排出を防止又は減少させ、眼鏡のレンズが呼気によって曇ることを防止又は減少させることができる。
なお、ここでも「右」及び「左」は、マスクの着用者から見て「右」及び「左」を言い、「上」及び「下」は、マスクを着用し水平面に直立した者から見て「上」及び「下」を言う。
【００１７】
本防止具においては、距離制限部を構成する線材又は帯材がゴム紐又はゴム帯であってもよい。
本マスクと同様、距離制限部を構成する線材又は帯材は、ゴム紐又はゴム帯、糸（例えば、木綿、絹、合成繊維）、布製の帯、プラスチック製の帯、テグス（釣り糸として用いられるため、目立たないのでよい）等を例示できるが、ゴム紐又はゴム帯とすればゴム紐又はゴム帯の収縮力により右側の耳掛けひもの他端と左側の耳掛けひもの他端との間の距離を減少させるよう継続的に力を加えることができるので、着用者顔面と本体部との間の隙間を継続して確実に形成することができる。
【００１８】
本防止具においては、距離制限部を構成する線材又は帯材の長さを調節する長さ調節手段を有するものであってもよい。
本マスクと同様、マスクの着用者の顔面形状や、着用者顔面と本体部との間に形成する隙間の所望の大きさや形状等に応じて、長さ調節手段によって距離制限部を構成する線材又は帯材の長さを調節することができるので、マスクの使用感を向上させたり、適切な大きさや形状の隙間を形成でき、眼鏡のレンズが呼気によって曇ることをうまく防止又は減少させることができる。
【図面の簡単な説明】
【００１９】
【図１】従来から用いられているマスクを示す背面図である。
【図２】図１に示した従来のマスクを着用者が着用したところを示す側面図である。
【図３】図２の矢印Ｂ方向から見たところを示す一部拡大図である。
【図４】本考案の一実施形態のマスク（本マスク）を示す背面図である。
【図５】図４の矢印Ｇ方向から見たところを示す図である。
【図６】本マスクを着用者が着用したところを示す側面図である。
【図７】図６の矢印Ｂ方向から見たところを示す一部拡大図である。
【図８】本考案の一実施形態のマスクに取り付けられるメガネ曇り防止具（本防止具）を示す図である。
【図９】本防止具を従来のマスクに取り付けたところを示す図である。
【図１０】ゴム紐にその長さを調節する長さ調節具を取り付けた例を示す図である。
【考案を実施するための形態】
【００２０】
本考案の実施の形態を図面を参照して詳述するが、本考案はこれに限定されるものではない。
【００２１】
（本マスク）
図４は、本考案の一実施形態のマスク（本マスク）１１を示す背面図（マスクの着用者の顔面に面する裏面１０３ｂ側から見たところを示している。図１に同じ。）であり、図５は図４の矢印Ｇ方向から見たところを示す図である。図４及び図５を参照して、本マスク１１について説明する。
本マスク１１は、大まかには、図１に示した上述のマスク１０１にゴム紐４１を取り付けたものであり、詳細には、着用者の鼻と口とを覆う本体部１０３と、本体部１０３の右縁１０２ａ近傍の上部に一端１０５ａ１が取り付けられると共に右縁１０２ａ近傍の下部に他端１０５ａ２が取り付けられる右側の耳掛けひも１０５ａと、本体部１０３の左縁１０２ｂ近傍の上部に一端１０５ｂ１が取り付けられると共に左縁１０２ｂ近傍の下部に他端１０５ｂ２が取り付けられる左側の耳掛けひも１０５ｂと、一端４１ａと他端４１ｂとが本体部１０３に取り付けられたゴム紐４１と、を備えてなる（マスク１０１は本体部１０３と右側の耳掛けひも１０５ａと左側の耳掛けひも１０５ｂとを備える。）。
本マスク１１は、マスク１０１と同様、着用者の鼻梁と両頬との間に存する凹凸に本体部１０３上縁１０２ｃ近傍が沿う形状にくせ付けるための針金１０４が上縁１０２ｃに沿って配設（内蔵）されている（該凹凸に合わせて針金１０４を曲げることで該凹凸に上縁１０２ｃ近傍を沿わせることができる）。また、本体部１０３には、着用者の鼻及び口の突出した形状をうまく覆うことができるようにひだ１０３ｆが上縁１０２ｃと略平行に複数形成されている。右縁１０２ａ、左縁１０２ｂ、上縁１０２ｃ、下縁１０２ｄによって略長方形が形成されている。
【００２２】
着用者の鼻と口とを覆う本体部１０３は、鼻の頂点（図４中、着用者の鼻の頂点が当接すると想定される位置を位置Ｐにて示す。）よりも下に位置する本体部１０３の部分である下部覆い部１０３ｐ（図４中、鼻の頂点よりも上に位置する本体部１０３の部分である上部覆い部１０３ｑと、下部覆い部１０３ｐと、の境界を境界線Ｌｐ（一点鎖線）にて示す。境界線Ｌｐは、位置Ｐを通過し左右方向にのびる線である。）を有し、下部覆い部１０３ｐは、着用者の顔の右側の部分に面する右下覆い部１０３ｐａと、着用者の顔の左側の部分に面する左下覆い部１０３ｐｂと、を含んでなる（右下覆い部１０３ｐａと左下覆い部１０３ｐｂとは、鼻の頂点の位置Ｐを通過し上下方向にのびる線Ｌｖが境界である。本マスク１１が着用される際には、線Ｌｖに沿って裏面１０３ｂ側から見たとき谷折りされる。）。
【００２３】
ゴム紐４１は、具体的にはここでは「株式会社共和」社製の商品名「オーバンド」（型番：＃１６、品名コード：GG-011）のゴム紐（輪ゴムを分断して使用）によって形成されており、一端４１ａが留め金４４ａ（ステープラの留め金に類似のもの）によって右下覆い部１０３ｐａに取り付けられると共に、他端４１ｂが留め金４４ｂ（ステープラの留め金に類似のもの）によって左下覆い部１０３ｐｂに取り付けられている（商品名「オーバンド」以外にも、ゴム紐４１としては、種々のゴム紐を用いることができ、例えば、株式会社セリアが販売している「純正ゴムバンド16号100ｇ」等を分断して使用することもできる。無論、輪ゴムを分断して用いる必要は必ずしもなく、ゴム紐として市販等されているものを用いることもできる。）。一端４１ａを取り付ける留め金４４ａと右側の耳掛けひも１０５ａの他端１０５ａ２との間の距離は約３ｍｍとされる（一端４１ａは他端１０５ａ２の近傍とされている）と共に、他端４１ｂを取り付ける留め金４４ｂと左側の耳掛けひも１０５ｂの他端１０５ｂ２との間の距離は約３ｍｍとされている（他端４１ｂは他端１０５ｂ２の近傍とされている）。
ゴム紐４１の自由長（ゴム紐４１に荷重が加わっていない際の長さ）は、裏面１０３ｂが平面に沿っている際の留め金４４ａと留め金４４ｂとの間の距離の約５０％とされている。
【００２４】
図６は、図４及び図５に示した本マスク１１を着用者２０１が着用したところを示す側面図（図２と同様、着用者２０１から見ると左方向から見たところを示している。）であり、図７は図６の矢印Ｂ方向から見たところを示す一部拡大図である。図６及び図７に示す通り、左側の耳掛けひも１０５ｂが着用者２０１の左耳２０３ｂに係合すると共に、図には現れないが右側の耳掛けひも１０５ａが着用者２０１の右耳に係合することで、着用者２０１の鼻２０５と口２０７とを本体部１０３が覆った状態で保持されている（なお、着用者２０１の顔面には裏面１０３ｂが面しており、裏面１０３ｂの反対の表面１０３ａが見えている。）。そして、着用者２０１は眼鏡３０１も着用しており、眼鏡３０１のレンズ３０３は本マスク１１の近くに位置している。
【００２５】
そして、ゴム紐４１が引き延ばされた状態で着用者２０１のあご２０９（下あご）の下を通過しており、このゴム紐４１の収縮力によって、ゴム紐４１の一端４１ａを取り付ける留め金４４ａと、ゴム紐４１の他端４１ｂを取り付ける留め金４４ｂと、の間の距離が図２及び図３の状態よりも減少し保持されている。このゴム紐４１の収縮力の作用により、着用者２０１の顔面（下あご２０９）と本体部１０３との間に隙間６０１が形成されている。従来のマスク１０１を着用した状態を示す図２及び図３の様子と、本マスク１１を着用した状態を示す図６及び図７の様子と、を比較すると、下縁１０２ｄとあご２０９（下あご）との間に本マスク１１を着用した場合（図６、図７）には隙間６０１が形成されているのに対し、従来のマスク１０１を着用した場合（図２、図３）には隙間６０１が形成されていない。
【００２６】
このように本マスク１１を着用した状態（図６、図７）においては、吸気時には本体部１０３が着用者２０１の顔面に吸着される力がはたらき（特に、鼻２０５と口２０７とが裏面１０３ｂに密接し、鼻２０５からの吸気はほとんどが本体部１０３を通過したものとなる）、吸気が本体部１０３を通過することで粉塵や花粉等のような異物を含む外気２２１を本体部１０３により濾過し異物を除去又は減少させることができる。そして、呼気時には、吸気時にはたらく吸着力（本体部１０３が着用者２０１の顔面に吸着される力）がはたらかないので（さらに呼気時には本体部１０３が着用者２０１の顔面から引き離される力がはたらく）、呼気は隙間６０１を経て下方に本体部１０３を通過せずに抵抗なく排出され（とりわけ呼気を口２０７から排出すれば隙間６０１を経た排出を円滑に行うことができる）、眼鏡３０１のレンズ３０３方向（矢印Ｅ方向）に呼気が排出されることを防止又は減少させてレンズ３０３に曇り（結露）を生じることを防止又は減少させることができる。
【００２７】
（本防止具）
図８は、本考案の一実施形態のマスク１０１に取り付けられるメガネ曇り防止具（本防止具）８０１を示す図であり、図９は本防止具８０１を従来のマスク１０１に取り付けたところを示す図（着用者２０１の顔面に面する裏面１０３ｂ側から見たところを示している。）である。図８及び図９を参照して、本防止具８０１について説明する。なお、ここに示した従来のマスク１０１は、図１乃至図３を参照しつつ従来の技術として既に説明したので、ここでは説明を省略する。
本防止具８０１は、右側の耳掛けひも１０５ａの他端１０５ａ２近傍に引っ掛けられる右フック部８０３ａと、左側の耳掛けひも１０５ｂの他端１０５ｂ２近傍に引っ掛けられる左フック部８０３ｂと、右フック部８０３ａに一端８０５ａが取り付けられると共に左フック部８０３ｂに他端８０５ｂが取り付けられたゴム紐８０５と、を有してなる。ゴム紐８０５は、本マスク１１のゴム紐４１と同様のものを用いている。
かかる本防止具８０１の右フック部８０３ａを右側の耳掛けひも１０５ａの他端１０５ａ２近傍に引っ掛けると共に、左フック部８０３ｂを左側の耳掛けひも１０５ｂの他端１０５ｂ２近傍に引っ掛けることで、図９のように本防止具８０１を従来のマスク１０１に装着することができる。このような図９の装着状態では、本マスク１１と同様、右側の耳掛けひも１０５ａの他端１０５ａ２近傍と左側の耳掛けひも１０５ｂの他端１０５ｂ２近傍との間をゴム紐８０５が連結した状態のマスクを構成することができる。
このため本防止具８０１を装着した従来のマスク１０１を着用者２０１が着用すると、本マスク１１を着用者２０１が着用した状態（図６、図７）と同様、下縁１０２ｄとあご２０９（下あご）との間に隙間６０１が形成されることで、呼気が隙間６０１を経て下方に抵抗なく排出され、眼鏡３０１のレンズ３０３方向（矢印Ｅ方向）に呼気が排出されることを防止又は減少させてレンズ３０３に曇り（結露）を生じることを防止又は減少させることができる。
【００２８】
図１０は、ゴム紐４１、８０５にその長さを調節する長さ調節具９０１を取り付けた例を示す図である。図１０（ａ）はゴム紐４１に長さ調節具９０１を取り付けたところを示しており（理解を容易にするため、留め金４４ａ、４４ｂを含めて図示している）、図１０（ｂ）は本防止具８０１全体を示している。
図１０（ａ）に示す通り、ここではゴム紐４１が第１ゴム紐４２ａと第２ゴム紐４２ｂとによって構成されており、第１ゴム紐４２ａの一端が長さ調節具９０１に取り付けられると共に第１ゴム紐４２ａの他端が留め金４４ｂによって本体部１０３に取り付けられる。第２ゴム紐４２ｂの一端が留め金４４ａによって本体部１０３に取り付けられると共に、第２ゴム紐４２ｂは長さ調節具９０１をスライド可能に貫通している。長さ調節具９０１は解放ボタン９０３を有しており、解放ボタン９０３を押し下げている状態では第２ゴム紐４２ｂは長さ調節具９０１に対しスライド自在とされるが、解放ボタン９０３を押し下げていない状態では第２ゴム紐４２ｂは長さ調節具９０１に対しスライドが禁止される。これによって、留め金４４ａ、４４ｂの間のゴム紐４１の長さ（自由長）を自由に調節することができる。
また、図１０（ｂ）の本防止具８０１においては、ゴム紐８０５が第１ゴム紐８０６ａと第２ゴム紐８０６ｂとによって構成されており、第１ゴム紐８０６ａの一端が長さ調節具９０１に取り付けられると共に第１ゴム紐８０６ａの他端に左フック部８０３ｂが取り付けられている。第２ゴム紐８０６ｂの一端に右フック部８０３ａが取り付けられると共に、第２ゴム紐８０６ｂは長さ調節具９０１をスライド可能に貫通している。長さ調節具９０１は解放ボタン９０３を有しており、解放ボタン９０３を押し下げている状態では第２ゴム紐８０６ｂは長さ調節具９０１に対しスライド自在とされるが、解放ボタン９０３を押し下げていない状態では第２ゴム紐８０６ｂは長さ調節具９０１に対しスライドが禁止される。これによって、両フック部８０３ａ、８０３ｂ間のゴム紐８０５の長さ（自由長）を自由に調節することができる。
【００２９】
以上説明した通り、本マスク１１は、着用者２０１の少なくとも鼻２０５と口２０７とを覆う本体部１０３と、鼻２０５の頂点よりも下に位置する本体部１０３の部分である下部覆い部１０３ｐのうち着用者２０１の顔の右側に面する右下覆い部１０３ｐａに一端４１ａが取り付けられると共に、下部覆い部１０３ｐのうち着用者２０１の顔の左側に面する左下覆い部１０３ｐｂに他端４１ｂが取り付けられることで該一端４１ａが取り付けられる本体部１０３の位置である一端取付位置（ここでは留め金４４ａの位置）と該他端４１ｂが取り付けられる本体部１０３の位置である他端取付位置（ここでは留め金４４ｂの位置）との間の距離を当該距離制限部（ここではゴム紐４１を含んで構成される）が取り付けられていない場合よりも減少させ保持することで少なくとも口２０７の下方に顔面と本体部１０３との間の隙間６０１を形成する、線材又は帯材により形成された距離制限部（ゴム紐４１）と、を備えてなる、マスクである。
また、本マスク１１においては、一端取付位置（留め金４４ａの位置）と他端取付位置（留め金４４ｂの位置）とが着用者２０１の唇の両端よりも側方に位置するものである（一端取付位置（留め金４４ａの位置）は着用者２０１の唇の右端よりも右方向に位置し、他端取付位置（留め金４４ｂの位置）は着用者２０１の唇の左端よりも左方向に位置する。）。
本マスク１１においては、距離制限部を構成する線材又は帯材（ゴム紐４１）が、着用者２０１のあご２０９の下を通過するものである。
本マスク１１は、本体部１０３の右縁１０２ａ近傍の上部に一端１０５ａ１が取り付けられると共に右縁１０２ａ近傍の下部に他端１０５ａ２が取り付けられる右側の耳掛けひも１０５ａと、本体部１０３の左縁１０２ｂ近傍の上部に一端１０５ｂ１が取り付けられると共に左縁１０２ｂ近傍の下部に他端１０５ｂ２が取り付けられる左側の耳掛けひも１０５ｂと、を備えてなり、一端取付位置（留め金４４ａの位置）が右側の耳掛けひも１０５ａの他端１０５ａ２の近傍とされ、かつ他端取付位置（留め金４４ｂの位置）が左側の耳掛けひも１０５ｂの他端１０５ｂ２の近傍とされるものである。
本マスク１１においては、距離制限部を構成する線材又は帯材（ゴム紐４１）がゴム紐又はゴム帯（ここではゴム紐）である。
本マスク１１においては、図１０（ａ）に示すように、距離制限部を構成する線材又は帯材（ゴム紐４１）の長さを調節する長さ調節手段（ここでは長さ調節具９０１）を有するようにしてもよい。
【００３０】
そして、本防止具８０１は、着用者２０１の少なくとも鼻２０５と口２０７とを覆う本体部１０３と、本体部１０３の右縁１０２ａ近傍の上部に一端１０５ａ１が取り付けられると共に右縁１０２ａ近傍の下部に他端１０５ａ２が取り付けられる右側の耳掛けひも１０５ａと、本体部１０３の左縁１０２ｂ近傍の上部に一端１０５ｂ１が取り付けられると共に左縁１０２ｂ近傍の下部に他端１０５ｂ２が取り付けられる左側の耳掛けひも１０５ｂと、を備えてなるマスク１０１に取り付けられるメガネ曇り防止具であって、右側の耳掛けひも１０５ａの他端１０５ａ２近傍に係合する右係合部（ここでは右フック部８０３ａ）と、左側の耳掛けひも１０５ｂの他端１０５ｂ２近傍に係合する左係合部（ここでは左フック部８０３ｂ）と、該メガネ曇り防止具（本防止具８０１）が取り付けられていない該マスク１０１の右側の耳掛けひも１０５ａの他端１０５ａ２と左側の耳掛けひも１０５ｂの他端１０５ｂ２との間の距離（図１中、Ｄ）よりも、両他端１０５ａ２、１０５ｂ２間の距離を減少させ保持する、右係合部（右フック部８０３ａ）に一端８０５ａが取り付けられ左係合部（左フック部８０３ｂ）に他端８０５ｂが取り付けられた線材又は帯材により形成された距離制限部（ここではゴム紐８０５）と、を有してなる、メガネ曇り防止具である。
本防止具８０１においては、距離制限部を構成する線材又は帯材（ゴム紐８０５）がゴム紐又はゴム帯（ここではゴム紐）である。
本防止具８０１においては、図１０（ｂ）に示すように、距離制限部を構成する線材又は帯材（ゴム紐８０５）の長さを調節する長さ調節手段（ここでは長さ調節具９０１）を有するようにしてもよい。
【符号の説明】
【００３１】
１１              本マスク
４１              ゴム紐
４１ａ            一端
４１ｂ            他端
４２ａ            第１ゴム紐
４２ｂ            第２ゴム紐
４４ａ            留め金
４４ｂ            留め金
１０１              従来のマスク
１０２ａ            右縁
１０２ｂ            左縁
１０２ｃ            上縁
１０２ｄ            下縁
１０３              本体部
１０３ａ            表面
１０３ｂ            裏面
１０３ｆ            ひだ
１０３ｐ            下部覆い部
１０３ｐａ          右下覆い部
１０３ｐｂ          左下覆い部
１０３ｑ            上部覆い部
１０４              針金
１０５ａ            右側の耳掛けひも
１０５ａ１          一端
１０５ａ２          他端
１０５ｂ            左側の耳掛けひも
１０５ｂ１          一端
１０５ｂ２          他端
２０１              着用者
２０３ｂ            左耳
２０５              鼻
２０７              口
２０９              あご
２２１              外気
３０１              眼鏡
３０３              レンズ
６０１              隙間
８０１              本防止具
８０３ａ            右フック部
８０３ｂ            左フック部
８０５              ゴム紐
８０５ａ            一端
８０５ｂ            他端
８０６ａ            第１ゴム紐
８０６ｂ            第２ゴム紐
９０１              長さ調節具
９０３              解放ボタン
【図１】
0003177389.tif 000003
【図２】
0003177389.tif 000004
【図３】
0003177389.tif 000005
【図４】
0003177389.tif 000006
【図５】
0003177389.tif 000007
【図６】
0003177389.tif 000008
【図７】
0003177389.tif 000009
【図８】
0003177389.tif 000010
【図９】
0003177389.tif 000011
【図１０】
0003177389.tif 000012